(57)【特許請求の範囲】
【請求項１】
太陽電池によって得られた電力を伝送する伝送系に用いられる伝送線において、
第１の導線と、
入出力端が前記第１の導線と共通接続され、前記入出力端を除いて、前記第１の導線と電気的に分離されており、自己が螺旋状に巻回された形状を有すると共に、前記第１の導線の延在方向に沿って、前記第１の導線の外周に螺旋状に巻回された第２の導線と
を有することを特徴とする伝送線。
【請求項２】
前記第１の導線の延在方向に沿って、前記第１の導線の外周に螺旋状に巻回された絶縁線をさらに有し、
前記第２の導線は、前記絶縁線の延在方向に沿って、前記絶縁体の外周に巻回されていることを特徴とする請求項１に記載された伝送線。
【請求項３】
前記第１の導線は、互いに電気的に分離された複数の導線よりなる撚線であることを特徴とする請求項１に記載された伝送線。
【請求項４】
前記第２の導線は、前記第１の導線よりも細いことを特徴とする請求項１に記載された伝送線。
【発明の詳細な説明】
【技術分野】
【０００１】
本発明は、太陽電池によって得られた電力を伝送する伝送系に用いられる伝送線に関する。
【背景技術】
【０００２】
例えば、特許文献１には、図１８（Ａ）に示すように、太陽電池によって得られた電力を伝送する伝送媒体が開示されている。この伝送媒体は、磁性体と、４本のライン＃１〜＃４（導線）とよって構成されている。入出力端が共通接続された直線ライン＃１，＃２は、その入力端が太陽電池の一方の電極に接続されていると共に、その出力端が負荷の一端に接続されている。入出力端が共通接続された曲線ライン＃３，＃４は、その入力端が太陽電池の他方の電極に接続されていると共に、その出力端が負荷の他端に接続されている。直線ライン＃１，＃２は、相互に離間配置されてほぼ平行に並設されている。曲線ライン＃３，＃４は、直線ライン＃１，＃２間に、ほぼ１８０度異なる位相でほぼ８の字状にそれぞれ巻回されており、これらの長手方向に繰り返されている。この伝送媒体の特徴は、曲線ライン＃３，＃４と、直線ライン＃１，＃２とが編み込まれた絡み部Ｐnにある。例えば、絡み部Ｐ1では、曲線ライン＃３が直線ライン＃２に、図面手前（すなわち上）側から奥（すなわち下）側に回り込むように折曲されて絡んでおり、その隣りの絡み位置Ｐ２では、上の直線ライン＃１の下側から上側に回り込むように折曲されて絡んでいるといった如くである。【０００３】
同図（Ｂ）に示すように、絡み部Ｐ０側の入力（ｉｎ）から出力（ｏｕｔ）側へ向けて電流ｉを通電すると、直線ライン＃１と、曲線ライン＃３，＃４とによって囲まれた三角形状の各空間ｍａにおいて、Ｎ極の垂直変動磁界が形成される。それとともに、直線ライン＃２と、曲線ライン＃３，＃４とによって囲まれた三角形状の各空間ｍｂにおいて、Ｓ極の垂直変動磁界が形成される。Ｎ極およびＳ極の垂直変動磁界は、直線ライン＃１，＃２の長手方向へ順次移動する。このような磁気的作用によって、伝送媒体は、各線＃１〜＃４を流れる電子を加速させる電子加速器として機能する。【０００４】
また、特許文献２には、信号や電力の位相遅れや振幅減衰（電圧降下）の抑制を図るべく、上記特許文献１に記載された構造から磁性体を除き、４本のライン＃１〜＃４のみによって構成された伝送媒体が開示されている。
【先行技術文献】
【特許文献】
【０００５】
【特許文献１】特許第４３３５９７４号公報
【特許文献２】特許第４３３５９７４号公報
【発明の概要】
【発明が解決しようとする課題】
【０００６】
しかしながら、上述した従来技術では、伝送媒体を形成する際、複数の導線を編み込む必要があるので、生産性に課題がある。【０００７】
本発明は、かかる事情に鑑みてなされたものであり、その目的は、太陽電池によって得られた電力を高効率で伝送でき、かつ、生産性に優れた伝送線を提供することである。
【課題を解決するための手段】
【０００８】
かかる課題を解決すべく、本発明は、入出力端が互いに共通接続される第１の導線および第２の導線を有し、太陽電池によって得られた電力を伝送する伝送系に用いられる伝送線を提供する。第２の導線は、入出力端を除いて、第１の導線と電気的に分離されている。また、第２の導線は、自己が螺旋状に巻回された形状を有すると共に、第１の導線の延在方向に沿って、第１の導線の外周に螺旋状に巻回されている。【０００９】
ここで、本発明において、絶縁線をさらに設けてもよい。この絶縁線は、第１の導線の延在方向に沿って、第１の導線の外周に螺旋状に巻回されている。この場合、第２の導線は、絶縁線の延在方向に沿って、絶縁体の外周に巻回されている。また、第１の導線は、互いに電気的に分離された複数の導線よりなる撚線であってもよい。さらに、第２の導線は、第１の導線よりも細いことが好ましい。
【発明の効果】
【００１０】
本発明によれば、螺旋状の延在する第２の導線に電流が流れることによって外部に磁界が励起される。第２の導線は、第１の導線の外周に螺旋状に巻回されているので、この外部磁界によって、第１の導線を流れる電流が加速される。これにより、太陽電池によって得られた電力を高効率で伝送することが可能になる。また、複数の導線の撚り合わせにて伝送線を形成できるので、生産性にも優れている。
【図面の簡単な説明】
【００１１】
【図１】太陽電池システムの構成図
【図２】伝送線の構成図
【図３】伝送線の概略的な断面図
【図４】伝送線の原理を示す模式図
【図５】出力波形の比較図
【図６】ＬＣ回路の構成図
【図７】弦振動のモードの説明図
【図８】ガラスのモデルの説明図
【図９】２個のモードの吸収を表すグラフ
【図１０】ωｐの計算値を示す表
【図１１】実際のアルカリ金属の低周波遮断波長の計算値と実測値を示す表
【図１２】ＣＬの推定分散関係を示すグラフ
【図１３】ＣＬ上の一点ｘ＝500cm位置での電場振動波形の例を示すグラフ
【図１４】ＤＣ＋パルスの駆動力を示す波形図
【図１５】パルスに含まれる周波数成分を示す図
【図１６】駆動力ωL〜ωHには10個の集中モードが存在する場合の特性図
【図１７】数値計算結果のプロット図
【図１８】従来技術の説明図
【発明を実施するための形態】
【００１２】
図１は、本実施形態に係る太陽電池システムの構成図である。この太陽電池システム１は、太陽電池２と、インバータ等の負荷３と、太陽電池１によって得られた電力を伝送する伝送系として用いられる一対の伝送線４とを主体に構成されている。一方の伝送線４は、太陽電池２のカソード側（正極）の端子２ａと、負荷３における一方の端子３ａとの間に接続されている。また、他方の伝送線４は、太陽電池２のアノード側（負極）の端子２ｂと、負荷３における他方の端子３ｂとの間に接続されている。
【００１３】
図２は、伝送線４の構成図であり、図３は、その概略的な断面図である。この伝送線４は、それぞれに電流が流れるインナ導線４ａと，アウタ導線４ｂを主体に構成されている。これらの導線４ａ，４ｂの一端は、端子２ａ（または２ｂ）に共通接続されており、これらの他端は、端子３ａ（または３ｂ）に共通接続されている。インナ導線４ａは、伝送線４の中心軸に沿って延在している。本実施形態では、インナ導線４ａとして、互いに電気的に分離された複数の導線を撚った撚線を用いている。ただし、インナ導線４ａとしては、このような撚線構造に代えて、単一の導線を用いてもよいし、上述した特許文献１，２のような４本の導線よりなる構造体（伝送媒体）を用いてもよい。
【００１４】
アウタ導線４ｂは、インナ導線４ａの延在方向に沿って、インナ導線４ａの外周に螺旋状に巻回されている。また、このアウタ導線４ｂは、それ自体が螺旋状に巻回された形状を有している。このような螺旋形状は、アウタ導線４ｂそのものを間隔を空けて中空コイル状に巻回することによって形成してもよい。ただし、形状の安定性や生産性の観点でいえば、図１および図２に示したように、釣り糸等の絶縁線４ｃを用い、この絶縁線４ｃの延在方向に沿って、絶縁線４ｃの外周にアウタ導線４ｂを巻回することが好ましい。なぜなら、絶縁線４ｃがアウタ導線４ｂの芯材として機能すると共に、アウタ導線４ｂ付きの絶縁線４ｃをインナ導線４ａに巻回するだけで、図示した構造が容易に得られるからである。
【００１５】
アウタ導線４ｂは、入出力端２ａ，３ａ（または２ｂ，３ｂ）を除いて、インナ導線４ａと電気的に分離されている。これらの導線４ａ，４ｂとして「電線」、すなわち、導線の外周がビニール等の絶縁体で被覆されたものを用いる場合、導線４ａ，４ｂ間の絶縁性は自ずと確保される。しかしながら、本発明は電線に限らず、露出した導線を用いて伝送線４を形成してもよい。この場合、インナ導線４ａの外周を絶縁体でコーティングした上で、アウタ導線４ｂを巻回するといった如く、導線４ａ，４ｂ間の絶縁性を確保するための工程が必要となる。
【００１６】
インナ導線４ａは、太陽電池によって得られた電力を伝送する本命的な役割を担っている一方、アウタ導線４ｂは、自己に電流が流れることによって磁界を励起する副次的な役割を担っている。このような役割の相違から、本実施形態において、アウタ導線４ｂは、メイン導線４ａよりも細いものが用いられている。すなわち、アウタ導線４ｂの径をΦ２、インナ導線４ａの径をΦ１とすると、Φ２＜Φ１の関係となる。
【００１７】
また、伝送線４としての形状的な安定性等を高めるべく、インナ導線４ａ、アウタ導線４ｂ、および絶縁線４ｃよりなる構造体の外周は、絶縁性の材料よりなる被覆層４ｄによって被覆されている。
【００１８】
なお、後述する磁気的作用の関係から、太陽電池２の正極側に接続される伝送線４と、太陽電池２の負極側に接続される伝送線４とでは、アウタ導線４ｂが対称形になるように用意される。
【００１９】
図４は、伝送線４の原理を示す模式図である。上述した特許文献１，２に開示された伝送媒体は、自分で磁界を励起し自身の電流を加速させる「自励式」の伝送線路であるのに対し、本実施形態に係る伝送線４は、「一日トータルで発電量が向上すれば良い」という考えから、太陽電池２の出力の一部を外部磁界の励起のために使い、インナ導線４ａを本来の電力伝送用途とする「他励式」の伝送線路ということができる。この構成では、螺旋状の延在するアウタ導線４ｂに電流が流れることで励起された外部磁界により、インナ導線４ａを流れる電流が加速される。インナ導線４ａが単線の場合には、表皮電流のみが加速され、撚線の場合には、中心軸に沿って仮想電流が生じる。アウタ導線４ｂは、インナ導線４ａと比べて配線が長くなる分だけ出力が低くなるが、これも最終的にはインナ導線４ａの出力と合わせて発電電力として利用する。これにより、太陽電池によって得られた電力を高効率で伝送することが可能になる。また、インナ導線４ａおよびアウタ導線４ｂを一体化する際、基本的に、導線４ａ，４ｂの撚り合わせにて伝送線を形成でき、これらを編み込む必要がない。したがって、伝送線４としての生産性にも優れており、容易に大量生産することが可能となる。
【００２０】
図５は、伝送路の長さを２９ｍで実験した場合における一般電線と本実施形態に係る伝送線４との出力波形の比較図である。同図（ａ）に示すように、一般電線では、エネルギーを伝送すると、実線で示す入力波形に対して、破線で示す出力波形のように電圧が降下し、かつ、伝達時間の遅延が生じる。これは、距離に比例して直流抵抗やインダクタンスが発生すること、および、インピーダンスを補正しないと信号の反射が起きて真のデータ転送の妨げになってこと、つまり、伝送線上において減衰と遅延が発することに起因するものである。これに対して、同図（ｂ）に示すように、伝送線４では、電圧が殆ど降下せず、伝達時間の遅延も殆ど生じない。このことから、伝送線４は、ロスの少ないエネルギー伝送、特に、太陽光発電関連事業の伝送線に適していることが理解できる。
【００２１】
このように、本実施形態によれば、螺旋状に巻回された第２の導線に電流が流れることによって外部に磁界が励起されると共に、この外部磁界によって、第１の導線を流れる電流が加速される。これにより、太陽電池によって得られた電力を高効率で伝送することが可能になる。また、従来技術のように複数の導線を編み込む必要がなく、これらの撚り合わせによって伝送線を形成できるため、生産性にも優れている。
【００２２】
つぎに、本実施形態に係る伝送線４（以下、「ＣＬ（Carrier Line）」と称する。）にパルス状ＨＦＶ（High Frequency Voltage）が重畳された駆動電圧（以下、「「ＳＶ（ Solar Voltage）と称する。）を与えた場合における負荷応答特性について、実験事実および良く知られた物理法則のみから定性的に詳述する。
【００２３】
（１）アナロジーと分散関係
一般に、物理系は、同一形式の微分方程式で記述されることが多い。電気系と機械系のアナロジーとして電流をドライブフォース(力)に、ばね（剛性）をインダクタンス（Ｌ）の逆数に、質量を電気容量（Ｃ）に、摩擦を電気抵抗（Ｒ）に対応させている。別の流儀では、電圧を力に、インダクタンスを質量に、電気容量をばね(剛性)の逆数に対応させるやり方もある。機械的単振子は、以下の数式１で表される。
【００２４】
（数式１）
ω＝√（ｋ／ｍ）    （１）
【００２５】
したがって、Cannon流のアナロジーを用いれば、ばね定数ｋを１／Ｌで、ｍをＣで置き換えると、図６に示すＬＣ回路の振動数は、以下の数式２で表される。
【００２６】
（数式２）
ω＝√（１／LC）    （２）
【００２７】
結合されたＬＣ回路網は、結合された振動子とのアナロジーを用いて、その特性を解析することができる。また、分布したＬＣ回路網は、弦とのアナロジーを用いて解析することができる。振動系の配置が与えられたとき、その運動方程式から固有方程式を導いて解くと、モードとその強度を求めることができる。結合された２個のＬＣ回路網は、以下の数式３に示すように、２個のモードのうちの一つは、１個のＬＣ振動子と同じであり、他方はそれの√（３）倍である。したがって、単一のＬＣ振動子に共振するモードω１の外的駆動力に対しては、全く同じ動作を行う。
【００２８】
（数式３）
ω１＝√（１／LC）
ω２＝√（３／LC）
【００２９】
さて、多数の結合されたＬＣ振動子で構成される回路網を解析するためには、振動子の自由度をＮとすると、Ｎ×Ｎの固有値方程式からＮ個のモードを求める必要があるが、これは一般的には不可能である。そこで、多数の連結された振動子を拡張したバイオリンの弦とのアナロジーを用いて解析を進めることにする。バイオリンの弦の場合は近似として倍音構造が成立している。つまり、図７に示すように、波長が半分の振動の周波数は倍になる。これを角周波数ωｎと角波数ｋｎの関係として表すと便利である。理想化された弦ではωｎはｋｎに比例する。ωｎ＝αｋｎ。αは振動が伝達する速さを表す。倍音構造では、その基準周波数をω１とするとき、共振周波数、つまりモードは離散的で、ωｎ＝ｎω１である。真空中の電磁波ではαは光速度ｃである。一般的には、角周波数ωは角波数ｋの関数で、これを分散関係 (Dispersion Relation)といい、物理学において重要な意味を持つものである。例えば、真空中では電磁波は正弦波で、その速さｃと周波数νと波長λの間に、ｃ＝νλという関係を保ちながら進行する。真空は非分散性（どのような波長の電磁波も同じ速度で伝播する）であるが、以下の数式４の関係を真空の分散関係ということにする。
【００３０】
（数式４）
ω＝ｃｋ  真空の分散関係
【００３１】
分散関係は一般の媒質中、例えば、ガラス中や分子中、金属中または電離層の中では別の形をとる。そこでωをkの関数として以下の数式５で表す。ここで、ｃ、α、β、・・は、角波数ｋには無関係な定数で、振動系を構成する材質、張力、質量などで決まる量である。理想化された弦や真空中の電磁波では、ｋの一次の係数α以外は０となる。
【００３２】
（数式５）
ω＝Φ(k)
＝ｃ＋αｋ＋βｋ２＋γｋ３＋・・・（多項式展開）
【００３３】
バイオリンを例にとって、上記数式５の分散関係をもう少し定性的、感覚的に考察する。バイオリンの音は音叉の音よりも調和(協和)しているように聞こえる。音叉の音は無味乾燥(音叉を鳴らして直接聞くか、発信機でサイン波を出してスピーカで聞いてみるとよい。ちなみに時報もそうである)であるが、これが単振動の音であり、純音といわれる。純音に対して、長さの違う複数の弦を同時に鳴らした場合の音は複合音(合成音)といわれる。複合音には聞いて気持ちの良い調和音(協和音)とそうではない不協和音がある。ピタゴラスは、調和音（ハーモニー）は、弦の長さが整数比であるときに生じることを発見した。バイオリンは一本の弦でも、分散関係による複合音（ほぼ、調和音）を生じさせるのである。この時、モード１、すなわち基本周波数が音の高さとなり、その他のモード、すなわち倍音構造が音色を決める。つまり、分散関係が、音質を決めているのである。バイオリンの名器例えばストラディバリの音色も分散関係、つまり振動系を構成する材質、形状、張力、質量、糊、ニスなどの全ての構成要素とその組み合わせによるのである。
【００３４】
（２）ＣＬの分散関係の推定
ＣＬでも、上記数式５の分散関係は、振動系を構成する金属材料、回路形状、被服物形状糊、ニスなどの全要素の組み合わせで決まる。電子回路中では振動する要素は電子または時によってはイオンであるから、これらがどのように振動するのかを考察しなければならない。錘の振動は錘を平衡位置からずらして離すことにより励起される。音叉は叩いたり別の音を鳴らすことにより励起される。バイオリンの音は叩いたり弾いたり弓で弾くことにより励起される。ＣＬ中の電子は電場（電界・電圧）によりその振動が励起される。電子は電場により加速度を得て運動する。しかし電子がどの程度動き易いかによって、その運動特性が大きく変化する。また、電子は加速されると電磁波を放射しエネルギーを散逸する。これらが上記数式５の分散関係に大きく寄与する。電子がイオンに束縛されているような誘電体の場合は、電子はイオンの周りを、電磁波を放射してエネルギーを散逸しながら個々に微小振動する。ガラスが典型的な例で、上記数式５の分散関係により透明であったり、色づいたりする。実は分散関係は、ガラスの引き起こすこの現象から名づけられた。また、音に色が付く、つまり音色という言葉も、自然な感覚とこの現象に由来しているのである。電子が自由に動けるような金属の場合は、電子はイオンの電場の影響を受けつつ集団で運動する。金属、電離層、プラズマなどが典型的な例である。電子が束縛されている場合と自由である場合は両極端の例である。
【００３５】
（２−１）電子がイオンに束縛されている場合
ＣＬの分散関係を理解するための基礎としてまず、ガラスなどの誘電体の振動現象を考察する。もちろんガラスの機械的振動ではなく、電気的駆動に対する振動を考察するのである。振動を引き起こす電気的駆動はこの場合振動電場である。パルス状電界も振動を励起するが、この振動はすぐに減衰して消滅する。継続的振動は交番電場つまり電磁波により励起される。ガラスでは、電子（質量ｍ、電荷−ｅ）とイオン（質量M、電荷ｅ）が硬く束縛されており、イオンは重いので、電子がイオンの周りを振動する。そのモードを求めてみる。
【００３６】
図８に示すガラスのモデルにおいて、イオンと電子の距離をａとすると、これらはクーロン力Ｆ＝−ｅ2／ａ2で引き合っている。したがって、単位変位、単位質量当たりの復元力、すなわち電子の角周波数ω2は、以下の数式６で表される。
【００３７】
（数式６）
ω2＝ｅ2／（ｍ・ａ3）
【００３８】
したがって、電子の振動数νｅは、以下の数式７で表される。
【００３９】
（数式７）
νｅ＝ω／２π＝１／２π・√（ｅ2／（ｍ・ａ3））
【００４０】
また、電子の振動波長λｅは、以下の数式８で表される。
【００４１】
（数式８）
λｅ＝ｃ／νｅ  （ｃは電磁波の速さ）
【００４２】
数値を代入して電子の振動モードの波長λｅを計算する。ｃ＝３×1010cm/sec,  e＝4.8×10-10e.s.u,  m＝9×10-28ｇ,  a≒10-8cm を代入すると、波長λｅは、以下の数式９で表される。
【００４３】
（数式９）
λｅ≒1.18×10-5 cm≒120 nm
【００４４】
すなわち、電子の共振モード波長は、紫外線の領域にある。イオンの振動モードは上記数式７の電子質量ｍの替わりにイオン質量Ｍを代入すれば得られる。Ｍ≒1.7×10-24ｇであるからｖI，λＩは、以下の数式１０で表される。すなわち、イオンの共振モード波長は、赤外線の領域にある。
【００４５】
（数式１０）
νＩ＝ω／２π＝１／２π・√（ｅ２／（Ｍ・ａ３））
λＩ≒1500 nm
【００４６】
さて、ガラスが実際に示す性質とこれら２個のモードとの関係を考察する。ガラスは可視光の領域では透明である。また、赤外線や紫外線に対しては不透明になる。図９は、２個のモードの吸収を表すグラフである。Ａabが吸収を示しており、Γは負荷である。吸収の大きさと吸収線の幅は負荷に依存する。
【００４７】
電子のモード、つまり高い周波数モードωｅと、イオンのモード、つまり低い周波数モードωＩとの間の電磁波（光）ωＩ＜＜ω＜＜ωｅでは、エネルギーの吸収は発生せず、それより低い周波数ω＜ωＩおよび高い周波数ω＞ωｅの電磁波（光）はガラスを通過できないし吸収もされない。吸収はこれら二つのモードの近傍のみで起きるということが分かる。これを共鳴吸収という。２個のモード（これをω1とω2：ω1＜ω2とする；図１０）の系の結論として、以下の結果（Ａ）〜（Ｃ）が理解できる。これらはガラスの既知の特性と推論から導かれたものであるが、ＣＬの分散関係を理解するための基礎として重要なものである。
【００４８】
（Ａ）入力はω1とω2の近傍で大きく吸収される。
（Ｂ）ω1＜＜ω＜＜ω2の範囲では吸収・反射はほぼ零で、これを、系は分散的に振舞うという。「分散的」のニュアンスは、プリズムが光を吸収も反射もせず、ただ周波数（波長）によってその屈折率が変わり、透過光が虹のように色づくこと（これを光の分散と呼ぶ）のアナロジーである。
（Ｃ）ω＜＜ω1およびω2＜＜ωでは、系は入力に応答しない。ω1を「低域遮断周波数」といい、これより低い周波数領域を「低周波リアクティブ領域」という。また、ω2を「高域遮断周波数」といい、これより高い周波数領域を「高周波リアクティブ領域」という。この領域では系は入力に応答しないので、別の作用が引き起こされる。
【００４９】
（２−２）電子が比較的に自由な場合
金属、電離層、プラズマ内部での振動のように、電子が比較的に自由な場合の振動特性および分散関係（Dispersion Relation）について考察する。電子が比較的に自由な場合、振動特性の最低のモード、すなわち基準モードは、電子全体が集団で同一の振動をするものである。例えば、２個の錘の振動では、この２個が同一の動きをするモードが最低のモードであった。２個が別々の動きをする場合は、そのモードはもっと高い周波数となる。ガラスの場合は電子が個々にほぼ同一の振動をするモードがωｅで、イオンが個々にほぼ同一の振動をするモードがωIであるが、ガラスの場合は電子とイオンの束縛が厳しく、勝手気ままな振動モードは励起できない。しかし、電離層や金属では電子は個々に比較的自由に動けるので、もっと高い周波数のモードが数多く存在するのである。まず、電子の集団運動のモードは、電子系の運動方程式を解くことにより、以下の数式１１で表される。
【００５０】
（数式１１）
ωｐ＝（４πNｅ2／ｍ）1/2
【００５１】
ここで、ωｐは、プラズマ振動の角周波数といわれる。また、このモード自体をプラズマ振動という。ここで、Ｎは電離層の電子数密度、ｅは電荷、ｍは電子質量である。電離層の電子数密度は地表からの高さや時間によって変化する。また、太陽風や磁場によって変動する。電離層では、昼の電子密度Ｎ＝1010個／cm2程度であり、ｅとｍは前節にも示したようにe＝4.8×10-10e.s.u, m＝9×10-28ｇであるから、典型的なプラズマ周波数はνｐ＝ωｐ／２π ≒30 ＭＨｚである。
【００５２】
さて、電離層のプラズマ周波数は、νｐ＝10〜30 ＭＨｚ程である。これよりも低いＡｍラジオの放送周波数、例えば1000ｋＨｚで駆動すると、電離層はこれを反射する。これを利用して、電離層を電波に対する鏡のように用いて目に見えない受信者に信号を伝送することが行われてきた。この点を詳述すると、この周波数に対して電離層はリアクティブ媒質として作用する。電磁波動は電離層に入ると指数関数的に減衰する。電離層が得たエネルギーは次のサイクルで戻される。従って、単純に電離層はこれを反射するといってよい。このことから、νｐが低周波遮断周波数であることがいえる。ＦＭやＴＶ放送の周波数は100ＭＨｚ程度で、これはνｐよりも十分に高周波であるので、電離層は分散性媒質として振舞う。またはＦＭやＴＶ放送周波数に対して電離層は透明である。従って、この場合は電離層を電波に対する鏡のように用いて目に見えない受信者に信号を伝送することはできない。つまり、ＦＭやＴＶ放送は直視できる範囲に限られるのである。これらの内容は上述した結果（Ａ）〜（Ｃ）に対応する。
【００５３】
つぎに、電離層のプラズマ周波数より高い周波数に対する振る舞いについて考える。我々は夜空を見上げて赤や青に光る星を見ることができる。つまり、電離層は可視光に対して透明である。したがって、少なくとも青色の振動数1015＝109MHzよりも高い高周波遮断周波数を持つ。また、紫外線を有る程度吸収することが知られている。しかし、それよりも波長の短いＸ−線やγ―線も吸収はされながらも、電離層を透過して地表に届いていることも知られている。つまり、高周波遮断角周波数は、γ―線の振動数1023よりも高いので、真空と同じとしてこれを無視することにする。つまり、電離層は低周波遮断角周波数ωｐを持ちながらも、それよりも高周波に関しては真空のように振舞うとして分散関係の推定を行う。真空は上記数式４からω＝ｃｋであるから、以下の数式１２を仮定する。
【００５４】
（数式１２）
ck＝√（ω2−ωｐ2）
【００５５】
これは、ω＞＞ωｐであれば真空と同じ分散関係ω〜ｃｋとなる。またω＜ωｐの時は、ｋは純虚数であるから、電離層はリアクティブとなる。もう少し精密な分散関係は、以下の数式１３で表される。
【００５６】
（数式１３）
ω＞ωｐの時    ω2＝ωｐ2＋（ck）2
ω＜ωｐの時    ω2＝ωｐ2―（ck）2
【００５７】
さて、電離層に関するこれらの事実を感覚的に言葉で言い表してみる。電離層は、ωｐよりも相当に高い周波数に対しては透明であるが、これはこのように高い周波数に対してつまり、電場の向きの変動に対して電子がついていけなくなり（運動を起こす暇がなく）電流が無視されて、電磁波は電流の生じないところ（電荷の散在しないところ）を進むかのように、つまり真空中であるかのように進行する。逆に、ωｐよりも低い周波数に対しては電場の向きの変動に対して電子が十分についていくことができ、電離層内の電場の変動を打ち消すように電子が配置を変えて（電流が発生して）、電離層内への電磁波の進入を阻止しようとするということで説明される。
【００５８】
さて、ＣＬは金属が主な要素であるから無論金属の性質を合わせ持っているはずである。金属も固体内電子プラズマの現象を引き起こす。例えば、金属は光を透過せずに反射する。これは、金属内電子プラズマの低周波遮断周波数が可視光の振動数よりも十分に高く、可視光以下の領域はリアクティブであることを意味している。図１０において、ωｐは、上記数式１１による計算値である。
【００５９】
電子数密度が高いものはアルカリ金属（Li, Na, K, Rb, Ca）であり、電子数密度が低い金属は電離層と同じレベルである。図１１に、実際のアルカリ金属の低周波遮断波長λｐの計算値と実測値を示す。
【００６０】
紫の波長が4000Åであるから、アルカリ金属は紫外線より短い波長の電磁波に対しては透明になる。このことから、ＣＬが電離層と金属との性質を合わせ持ったような特性を示すことが理解できよう。
【００６１】
（２−３）ＣＬの分散関係
ＣＬがω＞ωｐの高周波領域では電離層と同じ分散関係を持つことを仮定したが、これを確かめるためには、ω＞ωｐであるような高周波電界はＣＬ上を光速度で伝わるということを実験で確かめる必要がある。幸いにも、このような実験は実施済みでＣＬ上の伝播速度は計測プローブの遅延時間以内であるということであるから、これは確立されたものとする。そこで、ω＞ωｐである場合は、ＣＬの分散関係として、上記数式１０を採用する。しかし、ω＜ωｐの時にも電離層のモデルを採用することはできない。なぜなら、このモデルでは電界は指数関数的に減衰してしまうからであり、これは実験事実に反する。金属の場合（平行線や平面）はω＜ωｐの電磁波は反射される。しかし、外部電界、つまり電圧で強制駆動すれば、電子が自由に追随できるので、オームの法則に従う電流が流れる。ＣＬはその構造と実験事実によりＤＣ〜極低周波ではオームの法則に従うが、周波数が増すに従い分布した共鳴点を持つようになると考えられる。そこで、ＣＬの分散関係として、ω＞ωｐの高周波領域では電離層と同じ分散関係を採用し、ω＜ωｐの時にはＬとＣが多数連結された結合ＬＣ回路網の分散関係を採用する。
【００６２】
この点について、少し解説する。錘の付いた紐の横振動に複数の玉の付いた弦に対する分散関係は、以下の数式１４で表される。
【００６３】
（数式１４）
ω(k)＝ωmax sin(ka/2) 
【００６４】
ここで、ａは玉の間隔である。そこで、アナロジーから、ω＜ωｐの時のＬＣ回路網の分散関係としては、以下の数式１５を仮定する。こうすれば、ｋΘが０からπ／２間で変化する時、ωは０からωｐまで変化する。Θは玉の間隔とのアナロジーから、ＣＬに固有のパラメータであり、CLの共振体が集中する長さの半分であると考えることができる。
【００６５】
（数式１５）
ω(k)＝ωｐsin(ｋΘ)
【００６６】
ゆえに、ＣＬの分散関係は、以下の数式１６で表される。
【００６７】
（数式１６）
ω＞ωｐの時    ω＝√（ωｐ2＋（ck）2）  
ω＜ωｐの時    ω＝ωｐsin(ｋΘ)
【００６８】
図１２は、ＣＬの推定分散関係を示すグラフである。ＣＬの実測から、νｐ≒30MHz であるからλｐ＝103cmであり、ｋｐΘ＝π／2となることから、ｋｐΘ＝２π／λｐ・Θ＝π／２  よって、Θ＝λｐ／４≒250cmである。CLは上図に示すようなほぼ連続的な共振周波数を有している。そこで、CLはω＞＞ωｐでなければ、いたる所に共振周波数を持つ分散性媒質であるといえる。無論、DC〜極低周波では共振モードが存在せず、オームの法則に従う金属線として振舞う。実験ではこの周波数は約１Hzである。
【００６９】
（２−４）ＣＬ内の波動
上記（２−３）でＣＬの分散関係、つまりモードが推定できたので、ＣＬ内の波動形状は、これらのモードの重ねあわせとして求めることができる。このためには、波動を数式で表して全てのモードを重ね合わせればよい。モードが離散的でＮ個あるとし、これをω１のモードが強さＡ１で、ω２のモードが強さＡ２で、ω３のモードが強さＡ３で----ωNのモードが強さＡNであるとするならば、ＣＬ内の波動ψは、以下の数式１７〜１９で表される。
【００７０】
（数式１７）
ψ(x, t)＝Ａ1exp{i(k1x―ω１t)＋Ａ2exp{i(k２x―ω２t)＋・・・
【００７１】
（数式１８）
ωｎ＜ωｐの時    ωｎ＝ωｐsin(ｋｎΘ)
【００７２】
（数式１９）
ωｎ＞ωｐの時    ωｎ＝√（ωｐ2＋（cｋｎ）2
【００７３】
ここで、ωｎ＜ωｐであるとして、上記数式１８を上記数式１７に代入すると、以下の数式２０が得られる。
【００７４】
【数２０】
0006259173.tif 000002
【００７５】
あるいは、もっと初等的な記述として、錘の付いた紐の横振動の式である以下の数式２１を用いれば、上記数式２０は、以下の数式２２で表現される。
【００７６】
（数式２１）
ψ(x, t)＝Ａ(x)cos(ωt＋φ)
Ａ(x)＝Ａsin(kx)＋Ｂcos(kx)
【００７７】
【数２２】
0006259173.tif 000003
【００７８】
Ａj，Ｂj，φjは、初期条件ψ(x, 0)、ψ’(x, 0)及び境界条件ψ(0, t)等が与えられれば決まる。ＣＬではモードが連続的であると見做してもよいとすれば、上記数式２０を用いると、ＣＬ内の波動ψは、以下の数式２３で表される（勿論、計算の結果は、上記数式２２のリアルパートである。）。こうして、上記数式１７の分散関係をもとに、ＣＬの自由振動が推定できた。
【００７９】
（数式２３）
ψ(x, t)＝∫Ａ(k)exp{i(kx―ωｐt sin(ｋΘ))}ｄk  
【００８０】
図１３は、ＣＬ中の自由振動の空間分布をｘ＝500cm, t=10-4sec〜3×10-３secで描画した一例を示すグラフである。各モードの振幅Ａjは不明なので、等しくしてある。また、このグラフは、ＣＬのインパルス応答（過渡応答といってもよい。）でもある。ＣＬにインパルスを与え、その減衰時間以内（おそらく10-3sec以内）で観察すれば、これに似た振動（インパルス応答：過渡応答）が観察できよう。
【００８１】
（３）強制振動(外部駆動力)に対する応答
ある系が自由振動のモードを持っているとき、その振動数と同じ振動を外部から加えれば、系は共鳴という物理現象を引き起こす。音叉の共鳴箱が典型である。この場合の共鳴箱の自由振動モードは、音叉と同じであればよい。ピアノやバイオリンでは、その共鳴版はピアノやバイオリンの弦の全てに共鳴しなければならない。したがって、共鳴版は、楽器の発生周波数の全域にわたって、振動モードを持つ必要がある（楽器では振動弦から共鳴版に音を伝える部分を駒と言うが、これの伝達特性も大事である。）。このように共鳴が起きると、振動は増幅される。これを物理学的に表現すると、弦が外部駆動力、共鳴版が伝達系、空気が負荷であり、最終的には空気になるべく多くの振動エネルギーを伝えることが楽器の目的である。つまり、負荷に与えられるパワーは共鳴系の方が非共鳴系よりも大きいということは、楽器の例からも明らかであろう。
【００８２】
ＣＬは、外部駆動電力を負荷まで伝達する共鳴系である。ＣＬ共鳴系の方が、非共鳴系である一般の電線よりも、負荷に伝えるエネルギーが大きいということは、これまでの説明からほぼ自明のことと思われる。しかし、多少の数式を用いてこれを説明してみる。
【００８３】
まず、唯一個の共鳴系、すなわち、外部駆動起電力Ｖ、一個の振動体（電子；質量ｍ、電荷ｅ）、負荷からなる系の運動方程式は、以下の数式２４で表される。ここで、ｍは電子質量、σは負荷係数、ｑは電子の振動を引き起こす復元力の係数である。また、「‘」という表記は、時間微分を表す。
【００８４】
（数式２４）
ｍｘ'’＋  σｘ’＋  ｑｘ＝ｅＥ
【００８５】
また、上記数式２４について、Γ＝σ／ｍ、ω０2＝ｑ／ｍで置き換え、振動effective field ＥをＥ０cos(ωｔ＋α)とすると、以下の数式２５が得られる。
【００８６】
（数式２５）
ｘ'’＋  Γｘ’＋ ω０2ｘ＝ｅＥ０cos(ωｔ＋α)／ｍ
【００８７】
外部から加えられた電界Ｖは、物体内部では、effective field Ｅとなる。すなわち、以下の数式２６とした。
【００８８】
（数式２６）
Γ＝σ／ｍ、ω０2＝ｑ／ｍ
Ｅ＝Ｅ０cos(ωｔ＋α)
【００８９】
微分方程式の解を以下の数式２７と仮定して、上記数式２５に代入すると、以下の数式２８に示すように、係数Ａ＝Ａab，係数Ｂ＝Ａelの場合に、数式２７が微分方程式である上記数式２４の解であることが分かる。
【００９０】
（数式２７）
ｘ＝Ａsinωt＋Ｂcosωt
【００９１】
【数２８】
0006259173.tif 000004
【００９２】
ここで、Ａ＝Ａabは、エネルギー吸収を表している。振動の１サイクルで電力の平均Ｐを計算すると、以下の数式２９が得られる。
【００９３】
（数式２９）
Ｐ＝＜ｅＥｘ’＞＝ｅＥ０ωＡab／２
【００９４】
共鳴周波数 ω＝ω０ では、Ａel＝０であり、以下の数式３０で表される。
【００９５】
（数式３０）
Ａab＝ｅＥ０／(Γｍω０) 
【００９６】
共鳴周波数が２点あれば、個々の共鳴周波数の所で同じような現象が引き起こされ、モードが２個の場合の図９に示したグラフとなる。モードが１個の場合は、左半分を見ればよい。一般の伝送線では、振動を引き起こす復元力 ω０2ｘ が存在しない。つまりω０＝０である。この時は駆動電圧 Ｅ＝Ｅ０cos(ωｔ＋α)に対する応答として、上記数式２７にω０＝０を代入したものをＬとすれば、以下の数式３１が得られる。
【００９７】
（数式３１）
Ｌ＝ｅＥ０Γ／[ｍ(ω3＋ωΓ2)]
【００９８】
ＣＬと一般の線路Ｌとの電力吸収の比は、共鳴周波数の所で以下の数式３２となり、ＣＬの方が一般の電線より(ω０／Γ)2だけ大きくなる。
【００９９】
（数式３２）
ＣＬ：Ｌ＝Ａab／Ｌ＝１＋(ω０／Γ)2
【０１００】
さて、ＣＬは、多数の共鳴周波数（モード）を持っているので、殆ど全ての外部駆動周波数に対して共鳴し、上の議論が成り立つと考えられる。ここで、負荷Γについてもう少し深く考察する。負荷Γは、入力電力を消費するものである。外部負荷も勿論のこと、ＣＬ自体も負荷の一部となるべき電気抵抗を持っている。さらに、電子の振動により電磁波が発生する。これはローレンツ摩擦と呼ばれる負荷となる。これは振動数の４乗に比例するようなものである。したがって、負荷Γは、０になることはできない。実験によれば、ＣＬ：Ｌは周波数に依らないということである。そこで、ＣＬの共鳴モードでは、そのeffectiveな負荷Γは全ての効果を合算した場合、そのモードに比例すると仮定する。この仮定は観測によるものであるが、ほぼ納得できるであろう。なぜなら、激しく振動するものは、より多くの抵抗を受けるであろうからである。あるいは、流体中の抵抗は物体の速さに比例することのアナロジーとして考えれば納得できる（空気抵抗は物体の速さに比例するが、ジェット機並みの速さの時は速さの２乗に比例する。）。
【０１０１】
このようにしてeffectiveな負荷Γが角周波数ωの関数であるとし、また、以下の数式３３であるとし、ω＝０ならΓｅ＝Γ０であり、ωが０でなければΓｅ(ω)≒γω であるとすれば、数式３３を上記数式３２に代入し、ＣＬは、ほぼ全ての駆動周波数に共振するとして、エネルギー吸収の比は、数式３４で表現することができる。
【０１０２】
（数式３３）
Γｅ(ω)≒Γ０＋γω  γω＞＞Γ０
【０１０３】
（数式３４）
ＣＬ：Ｌ＝Ａab／Ｌ＝１＋(１／γ)2
【０１０４】
例えば、ＣＬがＬに比べて3％の電力伝達率の向上、つまり実験値が示すように、負荷による電力吸収が３％増加したとすれば、１／γ2＝0.03から、γ＝5.77 eff ということにする。effは「effective friction」の略とする。γが小さいほど電力伝達率の向上が図れる。γは、以下の数式３５として計測することができる。
【０１０５】
（数式３５）
（Γｅ(ω)―Γ０）／ω
【０１０６】
以上の事柄は、ＣＬを含む回路を単一周波数で駆動した場合の解析である。その基礎となるものは実験事実と基礎物理学である。
【０１０７】
（４）パルス状HFV（High Frequency Voltage）に対する応答
ＣＬと負荷として、図１４に示すようなＤＣ＋パルス状の外部起電力を印加したとする（Δｔ＝１０ns）。外部起電力が駆動力として、ＣＬおよび負荷を駆動するが、この場合、どのような周波数成分が駆動力に含まれているかを知る必要がある。このためには駆動力のフーリエ成分を求めればよい。
【０１０８】
図１５は、パルスに含まれる周波数成分を示す図であり、図１４の波形のフーリエ変換結果を示す（ＤＣ〜１０ＭＨｚ）。これを見れば、殆ど全周波数に亘る正弦波駆動力があることがわかる。
【０１０９】
図１４に示した駆動力をＦ(t)とする。また、振動数ωを持つ振動成分Ｆ(ω)は、以下の数式３６で表される。
【０１１０】
（数式３６）
Ｆ(ω)＝∫Ｆ(t)ｅ−ｉωｔｄt
【０１１１】
そうすると、上述した数式２４から、以下の数式３７であるとすれば、モードωが受け取る（吸収する）エネルギー（パワー）Ｐ(ω)は、以下の数式３８となる。
【０１１２】
（数式３７）
Ｆ(t)＝ｅＥ０cos(ωｔ＋α)／ｍ
【０１１３】
（数式３８）
Ｐ(ω)＝｜∫cos(ωｔ＋α)ｅ−ｉωｔｄt｜2 (ｅＥ０／ｍ)2
【０１１４】
モードが連続であるという仮定の下では、全吸収パワーＰは、以下の数式３９にて与えられる。
【０１１５】
（数式３９）
Ｐ＝∫Ｐ(ω)ｄω
【０１１６】
ＣＬとＬの比較は、簡単にできる。１個のモードωに対して１／γ2だけ効率がアップするのであるから、Ｎ個のモードが存在する場合には、ＣＬはＬに対してＮ／γ2だけ効率が上がる。実験データはγ＝5.77を示しているから、図１６に示すように、Ｎ＝10ならば30％のエネルギー効率のアップが期待できるはずである。実測では30％のエネルギー効率のアップが確認されている。この10個のモードが駆動力のフーリエ成分に含まれているとすれば、実験で確かめられた事実を説明することができる。なお、この10個の集中モードは、入力波数エリアに平均的に分布されているとしてもよい。ＣＬと異なり、Ｌはモードを持たないので、パルス状エネルギーの蓄積ができない。
【０１１７】
図１７に、上記数式３８および上記数式３９に基づき数値計算してプロットしたものを示す。ただし、入力は図１４に示すＨＦＶの数値である。電気抵抗は無視している。計算の結果に定量的意味はなく、あくまでも定性的なものである。
【０１１８】
（５）結論
以上のとおり、ＣＬにパルス状ＨＦＶが重畳された駆動電圧を与えた場合の負荷応答特性が解明された。
【符号の説明】
【０１１９】
１  太陽電池システム
２  太陽電池
３  負荷
４  伝送線
４ａ  インナ導線
４ｂ  アウタ導線
４ｃ  絶縁線
４ｄ  被覆層
【要約】
【課題】太陽電池によって得られた電力を高効率で伝送でき、かつ、生産性に優れた伝送線を提供する。
【解決手段】伝送線４は、入出力端が互いに共通接続されたインナ導線４ａおよびアウタ導線４ｂを有する。アウタ導線４ｂは、入出力端を除いて、インナ導線４ａと電気的に分離されている。また、アウタ導線４ｂは、自己が螺旋状に巻回された形状を有すると共に、インナ導線４ａの延在方向に沿って、インナ導線４ａの外周に螺旋状に巻回されている。
【選択図】図４【図１】
0006259173.tif 000005
【図２】
0006259173.tif 000006
【図３】
0006259173.tif 000007
【図４】
0006259173.tif 000008
【図５】
0006259173.tif 000009
【図６】
0006259173.tif 000010
【図７】
0006259173.tif 000011
【図８】
0006259173.tif 000012
【図９】
0006259173.tif 000013
【図１０】
0006259173.tif 000014
【図１１】
0006259173.tif 000015
【図１２】
0006259173.tif 000016
【図１３】
0006259173.tif 000017
【図１４】
0006259173.tif 000018
【図１５】
0006259173.tif 000019
【図１６】
0006259173.tif 000020
【図１７】
0006259173.tif 000021
【図１８】
0006259173.tif 000022